(57)【要約】【課題】コンテンツの音源の種類に合わせスピーカの放音方向を任意の方向に設定することのできるスピーカ装置を提供すること。【解決手段】本発明にかかるスピーカ装置１００は、スピーカユニット５１が取付け固定されたキャビネット筐体５３に側面部キャビネット５４とサランネット５２が一体化されたスピーカキャビネット５００を、内蔵されたスピーカキャビネット固定部材５５とスピーカキャビネット固定ネジ５９によりパッド５７を介してスピーカキャビネット支持部材５６に固定する。これにより、スピーカキャビネット５００とスピーカキャビネット支持部材５６とを一体でスピーカキャビネット回転ネジ３０を支点として全周３６０度にわたり回動させることが可能となる。【選択図】図９
2014093536.tif 000002
【特許請求の範囲】
【請求項１】
スピーカユニットと、
前記スピーカユニットに再生音源を供給するためのターミナル配線と
前記スピーカユニットを備えたスピーカキャビネットと、
前記スピーカキャビネットと前記ターミナル配線とを保持するためのスピーカキャビネット支持部材と、
前記スピーカキャビネット支持部材を設置場所に固定するためのスピーカキャビネット固定部材と、
前記スピーカキャビネット支持部材と前記スピーカキャビネット固定部材とを回動可能に固定するスピーカキャビネット回転固定部材と、
を有し、
前記スピーカキャビネットを前記スピーカキャビネット固定部材にて設置場所に固定した後、前記スピーカキャビネットと前記ターミナル配線とを一体に回動可能とし、前記スピーカユニットの放音方向を任意の方向に設定することを特徴とするスピーカ装置。
【請求項２】
前記スピーカキャビネット支持部材の大きさを前記スピーカキャビネットより大きく構成して、前記スピーカキャビネットの端部と前記スピーカキャビネット支持部材の端部との間に間隙をもたせるように構成した請求項１に記載のスピーカ装置。
【請求項３】
前記スピーカキャビネット回転固定部材は、貫通孔を備え、前記貫通孔に前記ターミナル配線を配して前記スピーカユニットに再生音源を供給するように構成した請求項１または請求項２に記載のスピーカ装置。
【発明の詳細な説明】
【技術分野】
【０００１】
本発明は、スピーカを設置固定した状態で、視聴環境に合致した方向位置にスピーカキャビネットの放音方向を設定可能なスピーカ装置に関するものである。
【背景技術】
【０００２】
従来、スピーカの放音方向を視聴位置に位置決めするため、スピーカボックスを収納位置から視聴位置に位置決めするのがワンタッチで行えるスピーカ装置が提案されている（ 特許文献１参照） 。
【０００３】
また、公共スペースや駅等の壁や柱にスピーカを設置する際、スピーカの放音方向を調節することが可能なスピーカや取り付け金具が知られている。
【先行技術文献】
【特許文献】
【０００４】
【特許文献１】特開平１１−１６４２３０号公報
【発明の概要】
【発明が解決しようとする課題】
【０００５】
しかしながら、特許文献１の提案ではスピーカボックスを収納位置から視聴位置に位置変更はワンタッチで行えるが、音源の種類に合わせスピーカの放音方向を任意の方向に向けることが難しいという問題があった。
【０００６】
また、方向を調節することが可能なスピーカや取り付け金具であるが、壁や柱にスピーカを設置することが前提で、視聴者にスピーカの放音方向を合致させるためのものであり、こちらも音源の種類に合わせスピーカの放音方向を任意の方向に向けることが難しいという問題があった。
【０００７】
本発明は、上記の課題に鑑みてなされたものであり、コンテンツの音源の種類に合わせスピーカの放音方向を任意の方向に設定することのできるスピーカ装置を提供することを目的とする。
【課題を解決するための手段】
【０００８】
本発明は、上記課題を解決するために、以下１）〜３）に記載の手段よりなる。
すなわち、
１）スピーカユニットと、
前記スピーカユニットに再生音源を供給するためのターミナル配線と
前記スピーカユニットを備えたスピーカキャビネットと、
前記スピーカキャビネットと前記ターミナル配線とを保持するためのスピーカキャビネット支持部材と、
前記スピーカキャビネット支持部材を設置場所に固定するためのスピーカキャビネット固定部材と、
前記スピーカキャビネット支持部材と前記スピーカキャビネット固定部材とを回動可能に固定するスピーカキャビネット回転固定部材と、
を有し、
前記スピーカキャビネットを前記スピーカキャビネット固定部材にて設置場所に固定した後、前記スピーカキャビネットと前記ターミナル配線とを一体に回動可能とし、前記スピーカユニットの放音方向を任意の方向に設定することを特徴とするスピーカ装置。
２）前記スピーカキャビネット支持部材の大きさを前記スピーカキャビネットより大きく構成して、前記スピーカキャビネットの端部と前記スピーカキャビネット支持部材の端部との間に間隙をもたせるように構成した１）に記載のスピーカ装置。
３）前記スピーカキャビネット回転固定部材は、貫通孔を備え、前記貫通孔に前記ターミナル配線を配して前記スピーカユニットに再生音源を供給するように構成した１）または２）に記載のスピーカ装置。
【発明の効果】
【０００９】
本発明により、コンテンツの音源の種類に合わせスピーカの放音方向を任意の方向に設定することが可能であるスピーカ装置を提供することができる。
【図面の簡単な説明】
【００１０】
【図１】実施例１に適用されるスピーカ装置の構成を説明する図である。
【図２】実施例１に適用されるスピーカ装置の構成を説明する他の図である。
【図３】実施例１に適用されるスピーカ装置の構成を説明する更に他の図である。
【図４】実施例１に適用されるスピーカ装置の構成を説明する更に他の図である。
【図５】実施例１に適用されるスピーカ装置の構成を説明する更に他の図である。
【図６】実施例１に適用されるスピーカ装置の構成を説明する更に他の図である。
【図７】実施例１に適用されるスピーカ装置の回転を説明する図である。
【図８】実施例１に適用されるスピーカキャビネットの組立を説明する図である。
【図９】実施例１に適用されるスピーカ装置の組立を説明する図である。
【発明を実施するための形態】
【００１１】
以下、本発明に係る投射型表示装置を実施するための好適な実施形態を説明する。
【００１２】
＜実施例１＞
図１は、本実施の形態に係るスピーカ装置１００の構成を示す図である。図１は、スピーカ装置１００が、スピーカ装置取付け部材１０を介してスピーカ装置固定ネジ１１により固定設置された状態で、スピーカユニット５１の放音部側から見た図である。
【００１３】
図に示すように、スピーカキャビネット５００はスピーカキャビネット支持部材５６に支持固定され、スピーカキャビネット５００とスピーカキャビネット支持部材５６とを一体としてスピーカキャビネット回転ネジ３０にてスピーカ装置取付け部材１０に回動可能に保持される。
【００１４】
以下の説明では、説明の明確化のため、スピーカキャビネット５００の放音方向をユーザを基準に方向を特定して説明を行う。スピーカ装置取付け部材１０を介してスピーカ装置固定ネジ１１により垂直方向の壁にスピーカ装置１００の長手方向を左右方向として固定設置された状態で、スピーカユニット５１の放音部がユーザ方向を向いている状態を０度、そこから上方向に回動させ真上にある状態を９０度、さらにユーザとは真逆の状態を１８０度、さらに回転を増したにある状態を２７０度として説明を行う。もちろん、上記の方向は、相対的なものであり、スピーカ装置１００の向きに応じて変化する。
【００１５】
従って図１では、２７０度の向きになる。また、図１では、スピーカキャビネット回転ネジ３０を例に説明するが、ネジ以外の保持機構を用いて、スピーカキャビネット５００とスピーカキャビネット支持部材５６とを回動可能に保持してもよい。
【００１６】
以下、図２〜図７を用いて、スピーカキャビネット５００とスピーカキャビネット支持部材５６とを一体として回動させスピーカキャビネット５００の放音方向を任意の方向に設定可能な状態を説明する。スピーカキャビネット５００を回転させることで、ユーザが聴く間接音と直接音の割合を変えている。
【００１７】
図２は、スピーカ装置１００が、スピーカ装置取付け部材１０を介してスピーカ装置固定ネジ１１により固定設置された状態で、１８０度回転の状態を見た図である。スピーカキャビネット５００の放音方向は、ユーザとは真逆の方向を向いており、ユーザが聴く間接音と直接音の割合を変えている。
【００１８】
図３は、スピーカ装置１００が、スピーカ装置取付け部材１０を介してスピーカ装置固定ネジ１１により固定設置された状態で、図２と同様に１８０度回転の状態をスピーカ装置取付け部材１０側から見た図である。スピーカキャビネット５００の放音方向は、ユーザとは真逆の方向を向いており、ユーザが聴く間接音と直接音の割合を変えている。
【００１９】
図４は、スピーカ装置１００が、スピーカ装置取付け部材１０を介してスピーカ装置固定ネジ１１により固定設置された状態で、０度回転の状態を見た図である。スピーカキャビネット５００の放音方向は、ユーザの方向を向いており、ユーザが聴く間接音と直接音の割合を変えている。
【００２０】
図５は、図４を別角度より見た図であり、スピーカ装置１００が、スピーカ装置取付け部材１０を介してスピーカ装置固定ネジ１１により固定設置された状態で、０度回転の状態を見た図である。スピーカキャビネット５００の放音方向は、ユーザの方向を向いており、ユーザが聴く間接音と直接音の割合を変えている。
【００２１】
図６は、スピーカ装置１００が、スピーカ装置取付け部材１０を介してスピーカ装置固定ネジ１１により固定設置された状態で、９０度回転の状態を見た図である。スピーカキャビネット５００の放音方向は、ユーザから見て上の方向を向いており、ユーザが聴く間接音と直接音の割合を変えている。
【００２２】
図７は、スピーカキャビネット５００とスピーカキャビネット支持部材５６とを一体として回動させスピーカキャビネット５００の放音方向を任意の方向に設定可能な状態を説明する図である。
【００２３】
図７Ａは、スピーカ装置１００が、スピーカ装置取付け部材１０を介してスピーカ装置固定ネジ１１により固定設置された状態で、０度回転の状態を見た図である。図に示すようにスピーカキャビネット５００の放音方向は、ユーザの方向を向いており、ユーザが聴く間接音と直接音の割合を変えている。
【００２４】
図７Ｂは、スピーカ装置１００が、スピーカ装置取付け部材１０を介してスピーカ装置固定ネジ１１により固定設置された状態で、２７０度回転の状態を見た図である。図に示すようにスピーカキャビネット５００の放音方向は、ユーザから見て下の方向を向いており、ユーザが聴く間接音と直接音の割合を変えている。
【００２５】
図７Ｃは、スピーカ装置１００が、スピーカ装置取付け部材１０を介してスピーカ装置固定ネジ１１により固定設置された状態で、１８０度回転の状態を見た図である。スピーカキャビネット５００の放音方向は、ユーザとは真逆の方向を向いており、ユーザが聴く間接音と直接音の割合を変えている。
【００２６】
図7に示すように、スピーカ装置取付け部材１０を介してスピーカ装置固定ネジ１１により固定設置された状態で、スピーカキャビネット５００とスピーカキャビネット支持部材５６とを一体でスピーカキャビネット回転ネジ３０を支点として全周３６０度にわたり回動可能に保持される。
【００２７】
このようにすることで、再生するコンテンツの音源の種類に合わせスピーカの放音方向を任意の方向に設定することが可能であるスピーカ装置を提供することができる。
【００２８】
次に、図８を用いて、スピーカキャビネット５００の構成を説明する。図に示すように、スピーカキャビネット５００の概略組立て図である。キャビネット筐体５３とスピーカユニット５１との間隙にサウンドアブソーバ６０が設置されてキャビネット筐体５３とスピーカユニット５１とが取付け固定される。
【００２９】
スピーカユニット５１が取付け固定されたキャビネット筐体５３に側面部キャビネット５４をそれぞれ取付け、一体と成したものを、スピーカキャビネット固定部材５５により後述する  スピーカキャビネット支持部材５６にパッド５７を介して固定する。
【００３０】
さらにスピーカユニット５１が取付け固定されたキャビネット筐体５３に側面部キャビネット５４をそれぞれ取付け一体と成したもののスピーカユニット５１側にサランネット５２を取付け固定する。
【００３１】
上述の説明では、スピーカユニット５１のスピーカユニット背面部と背面部キャビネット４２とキャビネット筐体５３との間にサウンドアブソーバ６０を配置しているが、このサウンドアブソーバ６０はなくてもよい。このサウンドアブソーバ６０は、スピーカユニット５１の背面部とキャビネット筐体５３との密着度を増すためのものである。
【００３２】
次に、図９を用いて、スピーカ装置１００の構成を説明する。図に示すように、スピーカ装置１００の概略組立て図である。スピーカユニット５１が取付け固定されたキャビネット筐体５３に側面部キャビネット５４とサランネット５２が一体化されたスピーカキャビネット５００を、内蔵されたスピーカキャビネット固定部材５５とスピーカキャビネット固定ネジ５９によりパッド５７を介してスピーカキャビネット支持部材５６に固定する。
【００３３】
この例では、スピーカキャビネット５００に設けられたターミナル配線５８が貫通する孔がパッド５７とスピーカキャビネット支持部材５６にそれぞれ設けられており、スピーカキャビネット５００とスピーカキャビネット支持部材５６とを一体でスピーカキャビネット回転ネジ３０を支点として全周３６０度にわたり回動させても音源信号の入力に問題がないようにしている。
【００３４】
そして、スピーカキャビネット５００はスピーカキャビネット支持部材５６に支持固定され、スピーカキャビネット５００とスピーカキャビネット支持部材５６とを一体としてスピーカキャビネット回転ネジ３０にてスピーカ装置取付け部材１０に回動可能に保持される。
【００３５】
上述の説明のように、再生するコンテンツの音源の種類に合わせスピーカの放音方向を任意の方向に設定することのできるスピーカ装置１００であるが、設置環境に応じてスピーカの放音方向を任意の方向に設定する際に、設置固定した後も調整できることが望ましい。
【００３６】
従って、スピーカキャビネット５００はスピーカキャビネット支持部材５６に支持固定され、スピーカキャビネット５００とスピーカキャビネット支持部材５６とを一体としてスピーカキャビネット回転ネジ３０にてスピーカ装置取付け部材１０に回動可能、かつ、調整可能に保持され、また、調整位置ではスピーカキャビネット５００の自重で調整角度が変異しない構造をスピーカキャビネット回転ネジ３０にもたしている。
【００３７】
なお、上述の説明では、スピーカキャビネット５００はスピーカキャビネット支持部材５６に支持固定され、スピーカキャビネット５００とスピーカキャビネット支持部材５６とを一体としてスピーカ装置取付け部材１０に取付ける際にスピーカキャビネット回転ネジ３０を用いているが、カシメ部材等他の構造体を用いてももちろんよい。
【００３８】
また、スピーカ装置１００であるが、設置環境に応じてスピーカの放音方向を任意の方向に設定する際に、設置固定した後も調整できることが望ましいので、図１，図６に示すように、スピーカキャビネット支持部材５６の大きさをスピーカキャビネット５００より大きく構成して、スピーカキャビネット５００の端部とスピーカキャビネット支持部材５６の端部との間に間隙をもたせるように構成している。
【００３９】
こうすることより、スピーカ装置１００を一体として設置場所に固定する場合に、スピーカキャビネット固定部材５５においてスピーカキャビネット５００が取付けられている状態であってもスピーカキャビネット固定ネジ５９が露出するので、スピーカ装置１００を一体として設置場所に固定し、その後スピーカの放音方向を任意の方向に設定することが可能であり、ユーザが聴く間接音と直接音の割合を変えることが可能である。
【００４０】
なお、上述の説明では、スピーカキャビネット５００はスピーカキャビネット支持部材５６に支持固定され、スピーカキャビネット５００とスピーカキャビネット支持部材５６とを一体としてスピーカ装置取付け部材１０に取付ける際にスピーカキャビネット回転ネジ３０を用いているため、スピーカキャビネット５００に設けられたターミナル配線５８が貫通する孔がパッド５７とスピーカキャビネット支持部材５６にそれぞれ設けられている。
【００４１】
この例では、スピーカキャビネット５００とスピーカキャビネット支持部材５６とを一体でスピーカキャビネット回転ネジ３０を支点として全周３６０度にわたり回動させても音源信号の入力に問題がないが、例えば、図２のように１８０度の位置においては、ターミナル配線５８はユーザ側を向いてしまう。
【００４２】
そこで、スピーカキャビネット回転ネジ３０を用いている部分を、カシメ部材等他の構造体を用いてそのカシメ構造にターミナル配線を配してもよく、こうすることでどの回転角度の位置においてもターミナル配線は一定の場所に配置されるようにできる。
【００４３】
上述の説明のように、再生するコンテンツの音源の種類に合わせスピーカの放音方向を任意の方向に設定することのできるスピーカ装置を提供することができる。
また、スピーカ装置１００を設置場所に固定する場合に、スピーカキャビネット固定部材においてスピーカキャビネットが取付けられている状態であってもスピーカキャビネット固定ネジが露出するので、スピーカ装置を一体として設置場所に固定し、その後スピーカの放音方向を任意の方向に設定することが可能であり、ユーザが聴く間接音と直接音の割合を変えることが可能である。
【符号の説明】
【００４４】
１０  スピーカ装置取付け部材
１１  スピーカ装置固定ネジ
３０  スピーカキャビネット回転ネジ
５１  スピーカユニット
５２  サランネット
５３  キャビネット筐体
５４  側面部キャビネット
５５  スピーカキャビネット固定部材
５６  スピーカキャビネット支持部材
５７  パッド
５８  ターミナル配線
５９  スピーカキャビネット固定ネジ
６０  サウンドアブソーバ
１００  スピーカ装置
５００  スピーカキャビネット
【図１】
2014093536.tif 000003
【図２】
2014093536.tif 000004
【図３】
2014093536.tif 000005
【図４】
2014093536.tif 000006
【図５】
2014093536.tif 000007
【図６】
2014093536.tif 000008
【図７】
2014093536.tif 000009
【図８】
2014093536.tif 000010
【図９】
2014093536.tif 000011